(57)【要約】【課題】  針金等を摘みに引っ掛けるサムターン摘みの不正解錠が阻止でき、良好な操作性が確保できる防犯サムターン装置を得る。【解決手段】  扉の屋内面側に固定された固定筒２１に内設されるコア軸３５と、固定筒２１内に内設されるサムターン筒４３と、サムターン筒４３に取り付けられる摘み４１と、サムターン筒４３に軸線直交方向で摺動自在に内設されるストッパー４９，５１と、ストッパー４９，５１の係合を解除する一対のボタン６３，６５と、一対のストッパー４９，５１を挟むとともに、他端部同士が接近方向に配置される一対の解除交差部材と、コア軸３５の突起板３９を挟持しコア軸３５の回転によって開脚され、この開脚動作によって解除交差部材を介して一対のストッパー４９，５１を係合解除方向に摺動させる二対の挟持板７３ａ，７３ｂ，７５ａ，７５ｂとを設けた。【選択図】      図２
2005097923.tif 000002
【特許請求の範囲】
【請求項１】
扉の屋内面側に固定される固定筒と、
該固定筒に回転自在に内設され錠箱の入出力軸に連結されるコア軸と、
前記固定筒内に回転自在に内設されるサムターン筒と、
該サムターン筒に取り付けられ屋内側へ突出する板状の摘みと、
前記サムターン筒に軸線直交方向で摺動自在に内設され該サムターン筒の外周から突出して前記固定筒に係合することで該サムターン筒の回転を阻止する一対のストッパーと、
脚部を有し前記摘みの表裏面に突出され同時に押圧されることで該脚部を介して前記ストッパーの係合を解除する一対のボタンと、
該一対のボタンを離反方向に付勢することで前記脚部を介して前記ストッパーを係合方向に付勢するボタン付勢バネと、
前記サムターン筒に軸線直交方向で摺動自在に内設され圧縮バネによって離間された一端部同士の間隙で前記一対のストッパーを挟むとともに、他端部同士が接近方向に配置される一対の解除交差部材と、
前記サムターン筒に揺動自在に支持され前記コア軸に突設された突起板を軸線直交方向の両側から挟持し前記コア軸の回転入力で前記突起板によって開脚され、該開脚動作によって前記一対の解除交差部材の他端部同士を離反方向に移動して前記一端部同士で前記一対のストッパーを係合解除方向に摺動させる二対の挟持板と、
を具備したことを特徴とする防犯サムターン装置。
【請求項２】
前記摘みの輪郭形状が曲線で形成されたことを特徴とする請求項１記載の防犯サムターン装置。
【請求項３】
前記摘みが前記サムターン筒の軸線方向の摘み固定手段で該サムターン筒に固着され、該摘み固定手段を覆う所定形状のカバーが前記摘みに装着され、該カバーが前記摘みと異なる色に着色されたことを特徴とする請求項１又は請求項２記載の防犯サムターン装置。
【発明の詳細な説明】
【技術分野】
【０００１】
本発明は、扉の屋内面に突出させた摘みの回転を規制することで、錠箱に対する不正な解錠操作力の入力を阻止する防犯サムターン装置に関する。
【背景技術】
【０００２】
マンションや住宅等に設けられる玄関扉には錠箱が設けられ、錠箱は扉木口から進退させたデッドボルトを扉枠に係合・係合解除させて、扉を施解錠する施解錠機構を内蔵している。錠箱は、屋外側からのシリンダー錠による施解錠操作力、或いは屋内側からのサムターンによる施解錠操作力の入力によって施解錠動作される。すなわち、屋外側からはシリンダー錠の合鍵による操作が必要になる一方、屋内側からは合鍵を用いずに摘みのみの回転操作で施解錠が簡便に行えるようになっている。
【０００３】
この種のサムターンは、下記特許文献１にも開示されるように、扉の屋内面側に垂直に突出した板状の摘みを有する。この摘みは、サムターン軸を介して錠箱の施解錠機構に連結される。従って、屋内側からは、この摘みを指で摘んで正逆回転操作することで、回転操作力がサムターン軸を介して直接錠箱へ伝達され、施解錠機構によりデッドボルトが進退されて、簡便な施解錠操作が可能となる。
【０００４】
ところが、近年、ポスト口や、機械工具によって開けた小さな穴から棒や針金等を挿入し、回転操作の容易なサムターンに係止して回転させ、施錠装置を解錠する不正解錠が増えている。このようなサムターンに針金等を係止して回転させることを防止するものに例えば下記特許文献２に開示されるサムターン用防犯カバーがある。
【０００５】
この防犯カバーは、サムターンが嵌入する嵌入孔が形成されるとともに、回転時に円状軌跡を描くサムターンの外面を覆う部分が、円状軌跡に沿う円形状に形成されている。そして、嵌入孔内に螺入してサムターンの側面に当接し、両側から挟持するセットスクリューが設けられる。この防犯カバーは、嵌入孔にサムターンを挿入し、サムターンに防犯カバーを覆うように被せ、その後セットスクリューを螺入させて締め付けることで、サムターンに固定する。従って、サムターンに被せた防犯カバーによって、針金等を係止させて回転させることが難しくなる。
【０００６】
また、上記した防犯カバーの別態様として、防犯カバーを、取付部と本体部とから構成したものが開示されている。取付部は、上記の防犯カバーの外形を手での操作が容易となるように形成し、本体部が係止する係止突部を備えている。取付部は、サムターンに被せた状態で、サムターンを容易に回転させることができる。また、本体部は、係止突部に係止可能な係止部を有し、係止作業という簡単な作業で、防犯カバーの着脱が行える。さらに係止部で本体部が空転することから、針金等を係止させて回転させることが不可能となっていた。
【特許文献１】特公平２−１５７１５号公報（第１図ｂ，第１図ｃ）
【特許文献２】実公平４−４０３６２号公報
【発明の開示】
【発明が解決しようとする課題】
【０００７】
しかしながら、上記した従来の防犯カバーは、外形が円筒体形状であるため、手指によって板状の摘みを挟み持つ従来の摘み操作が行えず、操作性が低下した。
また、円形状の防犯カバーをサムターンに被せた場合、本来小判形状であることからその回転位置によって視認できたサムターンの施錠状態又は非施錠状態を視認不能にしてしまい、これによっても誤操作が生じ易くなって、施解錠の操作性を低下させる問題があった。
さらに、サムターンを回転操作可能にする取付部と、この取付部に対し空転し、且つ着脱可能となる本体部とから構成されているため、脱着した本体部の保管管理が煩雑となり、本体部を紛失する虞もあった。
【０００８】
本発明は上記状況に鑑みてなされたもので、挿入した針金や棒等を摘みに引っ掛ける等するサムターン摘みの不正解錠が阻止可能になるとともに、良好な操作性が確保でき、しかも、一般的なサムターンと同様に、摘みの垂直・水平姿勢が視認可能となる防犯サムターン装置を得ることを目的とする。
【課題を解決するための手段】
【０００９】
次に、上記の課題を解決するための手段を、実施の形態に対応する図面を参照して説明する。
この発明の請求項１記載の防犯サムターン装置１００は、扉の屋内面側に固定される固定筒２１と、
該固定筒２１に回転自在に内設され錠箱の入出力軸に連結されるコア軸３５と、
前記固定筒２１内に回転自在に内設されるサムターン筒４３と、
該サムターン筒４３に取り付けられ屋内側へ突出する板状の摘み４１と、
前記サムターン筒４３に軸線直交方向で摺動自在に内設され該サムターン筒４３の外周から突出して前記固定筒２１に係合することで該サムターン筒４３の回転を阻止する一対のストッパー４９，５１と、
脚部６３ａ，６５ａを有し前記摘み４１の表裏面に突出され同時に押圧されることで該脚部６３ａ，６５ａを介して前記ストッパー４９，５１の係合を解除する一対のボタン６３，６５と、
該一対のボタン６３，６５を離反方向に付勢することで前記脚部６３ａ，６５ａを介して前記ストッパー４９，５１を係合方向に付勢するボタン付勢バネ６６と、
前記サムターン筒４３に軸線直交方向で摺動自在に内設され圧縮バネ７１によって離間された一端部６７ｂ，６９ｂ同士の間隙で前記一対のストッパー４９，５１を挟むとともに、他端部６７ｃ，６９ｃ同士が接近方向に配置される一対の解除交差部材６７，６９と、
前記サムターン筒４３に揺動自在に支持され前記コア軸３５に突設された突起板３９を軸線直交方向の両側から挟持し前記コア軸３５の回転入力で前記突起板３９によって開脚され、該開脚動作によって前記一対の解除交差部材６７，６９の他端部６７ｃ，６９ｃ同士を離反方向に移動して前記一端部６７ｂ，６９ｂ同士で前記一対のストッパー４９，５１を係合解除方向に摺動させる二対の挟持板７３ａ，７３ｂ，７５ａ，７５ｂと、
を具備したことを特徴とする。
【００１０】
この防犯サムターン装置１００では、ボタン６３，６５を押下し、回転力が摘み４１に加えられなければ、摘み４１による解錠操作が行えず、これにより、挿入した針金や棒等を摘みに引っ掛ける等して、摘み４１を回転することによる不正解錠が阻止される。また、一般的なサムターンと同様に、摘み４１を摘んで回動操作が行え、施錠時にはボタン操作に関わらず施錠が行えるとともに、屋外からのシリンダー錠による合鍵操作時にはボタン６３，６５による規制が自動解除されて、摘み４１が回転される。さらに、従来の防犯カバーが被せられる構成と異なり、摘み４１を板状に形成したので、垂直・水平姿勢が視認可能となる。また、突起板３９を上下で挟む二対の挟持板７３ａ，７３ｂ，７５ａ，７５ｂが、コア軸３５の突起板３９を軸線直交方向の左右（両側）から合計二対で、すなわち、４枚の挟持板７３ａ，７３ｂ，７５ａ，７５ｂで挟持するので、コア軸３５の右回転、左回転の何れの回転でも等しいモーメントで挟持板７３ａ，７３ｂ，７５ａ，７５ｂが開脚される。
【００１１】
請求項２記載の防犯サムターン装置１００は、前記摘み４１の輪郭形状が曲線で形成されたことを特徴とする。
【００１２】
この防犯サムターン装置１００では、針金を摘みに引っ掛けようとしたり、棒を当てて押し回ししようとしても、角部がないため針金や棒が滑り易く、これら付勢な回転操作力が印加され難くなる。また、角部がなくなることで、手指によるフィット感も良好となる。
【００１３】
請求項３記載の防犯サムターン装置１００は、前記摘み４１が前記サムターン筒４３の軸線方向の摘み固定手段４０で該サムターン筒４３に固着され、該摘み固定手段４０を覆う所定形状のカバー４２が前記摘み４１に装着され、該カバー４２が前記摘みと異なる色に着色されたことを特徴とする。
【００１４】
この防犯サムターン装置１００では、摘み固定手段４０がカバー４２に隠蔽されて露出しなくなる。また、所定形状のカバー４２が摘みと異なる色となることで、例えばこのカバー４２を矩形状などとすれば、摘み４１の水平・垂直方向が把握し易い目印的な効果が生ずる。
【発明の効果】
【００１５】
本発明に係る請求項１記載の防犯サムターン装置によれば、ボタンによる規制を解除して摘みを回転可能としたので、一対のボタンを押下し、摘みに回転力を加えなければ摘みによる操作は行えず、これにより、挿入した針金や棒等を摘みに引っ掛ける等して、サムターン摘みを回転することによる不正解錠を阻止でき、防犯性を向上させることができる。また、一般的なサムターンと同様に、摘みを摘んで回動操作が行え、施錠時にはボタンに関わらず施錠が行えるとともに、屋外からのシリンダー錠による合鍵操作時にはボタンの規制が自動解除されて摘みが回転するので、良好な操作性を確保することができる。さらに、従来の防犯カバーを被せるのと異なり、摘みの形状を板状形状とすれば垂直・水平姿勢が視認できるので、一般的なサムターンと同様に、室内側からの施解錠状態を容易に確認することができる。また、二対の挟持板で、コア軸の突起板を軸線直交方向の両側から挟持するので、コア軸の右回転、左回転の何れの回転でも略等しいモーメントで挟持板を開脚でき、シリンダー錠の左右勝手に関わらずスムースな合鍵操作を可能にすることができる。
【００１６】
請求項２記載の防犯サムターン装置によれば、摘みの輪郭形状を曲線で形成したので、摘みの摘み易さ、操作感を向上させることができるとともに、針金や棒等による引っ掛かりや、押し回しが一層困難となり、防犯性もさらに高めることができる。
【００１７】
請求項３記載の防犯サムターン装置によれば、摘み固定手段を覆う所定形状のカバーを摘みに装着し、このカバーを摘みと異なる色に着色したので、摘み固定手段を隠蔽して見栄えを良くできるとともに、摘み自体を見易くしたり、摘みの回転姿勢（即ち、施錠状態又は解錠状態）をより視認し易くすることができる。
【発明を実施するための最良の形態】
【００１８】
以下、本発明に係る防犯サムターン装置の好適な実施の形態を図面を参照して詳細に説明する。
図１は本発明に係る防犯サムターン装置の解錠状態の正面視を（ａ）、縦断面視を（ｂ）で表した説明図、図２は本発明に係る防犯サムターン装置の施錠状態の縦断面視を（ａ）、（ａ）のＡ−Ａ矢視を（ｂ）で表した説明図、図３は図１に示した防犯サムターン装置の分解図、図４は図２に示した防犯サムターン装置の分解図、図５は図４の要部斜視図である。
【００１９】
本実施の形態による防犯サムターン装置１００が取付けられる図示しない扉には、錠箱が設けられる。錠箱は、ラッチボルト、デッドボルト、及びこれらを扉の木口から進退させる錠箱機構部を内設している。錠箱のデッドボルトは、扉の屋外側の面に設けたシリンダー錠を合鍵（キー）によって、又は扉の屋内側の面に設けられたサムターン摘み（以下、単に「摘み」と称す）を回動することによって扉の木口から進退可能となっている。防犯サムターン装置１００は、以下の構成によって、摘み操作を有効又は不能にするよう作動される。
【００２０】
扉又は錠箱には固定筒２１が固定される。固定筒２１の軸線方向一端側の外周には一対の固定部２３，２３が突設され、固定部２３，２３は固定穴２５を有している。固定筒２１は、扉内に設けられた錠箱にこの固定穴２５を介して固定される。
【００２１】
固定筒２１の先端にはスペーサリング２６が外挿される。スペーサリング２６の外周には中央穴２７を有した飾り筒２９が被せられて固定される。この飾り筒２９の外周側先端部には、先端が平坦な円錐形状の化粧リング３１が外装される。化粧リング３１は、後端の折り曲げ部３１ａと、飾り筒２９の後端面との間に配設されたバネ３３の付勢力によって後端が扉の屋内面Ｄｓに押付けられる。
【００２２】
固定筒２１の内部にはコア軸３５が回転自在に内設され、コア軸３５は後部が錠箱からの図示しない入出力軸に連結されている。コア軸３５は、錠箱側に押さえリング３６が挟入され、この押さえリング３６が、固定筒２１の内周に形成された周溝３７に係止する固定リング３８によって固定筒２１からの脱落が防止される。コア軸３５は、先端面に突起板３９を突設している。この突起板３９は、コア軸３５の軸線に沿って突出し、略矩形板状に形成される。従って、錠箱の図示しない入出力軸が回転されれば、突起板３９が回転される。
【００２３】
固定筒２１の先端側内部には、摘み４１が取り付けられるサムターン筒４３が回転自在に内設される。摘み４１は、輪郭形状が曲線で形成されている。これにより、針金を摘み４１に引っ掛けようとしたり、棒を当てて押し回ししようとしても、角部がないため針金や棒が滑り易く、これら不正な回転操作力が印加され難くなる。また、角部がなくなることで、手指によるフィット感も良好となる。
【００２４】
摘み４１は、サムターン筒４３の軸線方向の摘み固定手段４０でサムターン筒４３に取り付けられる。本実施の形態では、この摘み固定手段として固定ネジ４０よりなる。固定ネジ４０は、摘み４１の端面に凹設された凹部４１ａに収容される。凹部４１ａには、カバーとしてのネジカバー４２が係止状態で装着される。ネジカバー４２は、本実施の形態では矩形状に形成され、かつ摘み４１と異なる色に着色されている。なお、ネジカバー４２は、蓄光剤を混練した樹脂や、蛍光塗料を塗布して着色してもよい。これにより、摘み固定ネジ４０がネジカバー４２に隠蔽されて露出しなくなる。また、矩形状のネジカバー４２が摘み４１と異なる色となることで、摘み４１の水平・垂直方向が把握し易い目印的な効果が生ずる。
【００２５】
サムターン筒４３に取り付けられた摘み４１は、板状となって飾り筒２９の中央穴２７から屋内側へ突出される。
【００２６】
図５に示すように、サムターン筒４３の後部は筒状部４５となり、筒状部４５には直径方向の両端に開口する切欠４７が形成されている。筒状部４５の後端面からは後述の挟持板を支持する一対の軸４５ａ，４５ａが錠箱へ向かって突設されている。この筒状部４５の内部には、筒状部４５の軸線直交方向で摺動自在となる一対のストッパー４９，５１が内設されている。ストッパー４９には図５に示す脚部係合部４９ａと、解除面４９ｂが形成されている。また、ストッパー５１には図５に示す脚部係合部５１ａと、解除面５１ｂが形成されている。
【００２７】
一対のストッパー４９，５１は、後述のボタン６３，６５に設けられた脚部６３ａ，６５ａが脚部係合部４９ａ，５１ａに係合されることで、筒状部４５の半径方向外側へ摺動され、切欠４７から突出し、固定筒２１に形成された係合溝５５に係合するようになっている。ストッパー４９，５１が係合溝５５に係合することで、サムターン筒４３の回動は不能となる。
【００２８】
一方、摘み４１の表裏面には凹み５７，５７が形成され、この凹み５７，５７には四角形のボタン収容穴５９が表裏面を貫通して形成されている。ボタン収容穴５９には揺動軸６１によって揺動自在となった一対のボタン６３，６５が収容されている。ボタン６３，６５は、錠箱の方向へ向かって突出する脚部６３ａ，６５ａを有している。この脚部６３ａ，６５ａは、上記したストッパー４９，５１の脚部係合部４９ａ，５１ａへと挿入される。
【００２９】
また、ボタン６３，６５の摘み板６３ｂ，６５ｂの間にはボタン付勢バネ６６が挟入され、ボタン付勢バネ６６は摘み板６３ｂ，６５ｂを離反方向へ付勢している。ボタン６３，６５は、摘み板６３ｂ，６５ｂがボタン付勢バネ６６によって離反方向へ配置されることで、脚部６３ａ，６５ａが水平に並ぶようになっている。そして、この脚部６３ａ，６５ａが脚部係合部４９ａ，５１ａに挿入された一対のストッパー４９，５１は、脚部６３ａ，６５ａがこのように水平配置されることで筒状部４５から突出して係合溝５５に係合する。
【００３０】
一方、ボタン６３，６５は、摘み板６３ｂ，６５ｂがボタン付勢バネ６６の付勢力に抗して接近方向へ摘まれることで、脚部６３ａ，６５ａが開く。これにより、一対のストッパー４９，５１を、筒状部４５の半径方向内側へ摺動させて、係合溝５５との係合を解除させるよう動作する。
【００３１】
固定筒２１の内部には、サムターン筒４３の軸線直交方向で摺動自在な一対の解除交差部材６７，６９が内設されている。解除交差部材６７は、図５に示すように、縦軸６７ａの上端で摘み４１側へ向かって突出する一端部としてのストッパー挟持片６７ｂと、縦軸６７ａの下端で錠箱側へ向かって突出する他端部としての離間片６７ｃとを有している。また、解除交差部材６９は、縦軸６９ａの下端で摘み４１側へ向かって突出する一端部としてのストッパー挟持片６９ｂと、縦軸６７ａの上端で錠箱側へ向かって突出する他端部としての離間片６９ｃとを有している。
【００３２】
各解除交差部材６７，６９は、それぞれのストッパー挟持片６７ｂ，６９ｂの間に挟入された圧縮バネ７１によって、離間されたストッパー挟持片６７ｂ，６９ｂ同士の間隙で、一対のストッパー４９，５１を挟むとともに、離間片６７ｃ，６９ｃ同士が接近方向に配置される。この離間片６７ｃ，６９ｃ同士の間には、後述の挟持板が配置される。
【００３３】
サムターン筒４３の軸４５ａ，４５ａには、二対の挟持板７３ａ，７３ｂ，７５ａ，７５ｂが揺動自在に支持されている。挟持板７３ａ，７３ｂ，７５ａ，７５ｂは、上記したコア軸３５の突起板３９を軸線直交方向の両側から挟持する。例えば挟持板７３ａ，７３ｂが右側から、挟持板７５ａ，７５ｂが左側からの如くである。突起板３９を挟持した挟持板７３ａ，７３ｂ，７５ａ，７５ｂは、シリンダー錠が合鍵によって回転され、これに伴ってコア軸３５が回転されることで、この突起板３９によって開脚される。挟持板７３ａ，７３ｂ，７５ａ，７５ｂは、この開脚動作によって、一対の解除交差部材６７，６９の他端部同士（離間片６７ｃ，６９ｃ同士）を離反方向に移動して、一端部同士（ストッパー挟持片６７ｂ，６９ｂ同士）で、一対のストッパー４９，５１を係合解除方向に摺動させる。
【００３４】
次に、上記の構成を有する防犯サムターン装置の作用を説明する。
図６は図１に示した防犯サムターン装置の施錠状態の縦断面視を（ａ）、（ａ）のＢ−Ｂ矢視を（ｂ）で表した動作説明図、図７は図１に示した防犯サムターン装置の施錠解除時の縦断面視を（ａ）、（ａ）のＣ−Ｃ矢視を（ｂ）で表した動作説明図、図８は図１に示した防犯サムターン装置のシリンダー錠からの施錠解除時の縦断面視を（ａ）、（ａ）のＤ−Ｄ矢視を（ｂ）、（ａ）のＥ−Ｅ矢視を（ｃ）で表した動作説明図である。
【００３５】
図６に示す施錠状態において、摘み４１は水平方向に位置し、サムターン筒４３に内設されたストッパー４９，５１がボタン付勢バネ６６の付勢力により切欠４７から突出して係合溝５５に係合している。
防犯サムターン装置１００の施錠状態を解除するには、図７に示すように、摘み４１から突出している表裏面のボタン６３，６５を同時に押下する。
ボタン６３，６５が押下されると、脚部６３ａ，６５ａが図６に示した水平に並んだ状態から、図７に示す状態に開脚される。これにより、一対のストッパー４９，５１は、筒状部４５の半径方向内側へと摺動され、係合溝５５から抜脱される。
【００３６】
その結果、ストッパー４９，５１と係合溝５５との係合が解除され、サムターン筒４３は回転が可能となって、摘み４１が垂直方向へと回転される。この際、摘み４１の垂直位置では、図２（ｂ）に示すように固定筒２１の内周に係合溝５５が形成されていないため、ストッパー４９，５１は筒状部４５内に後退したままの状態となる。従って、ボタン６３，６５は、押下された状態のままに保持されることになる。
【００３７】
一方、解錠状態から施錠状態にするには、ボタン６３，６５の操作に関わらず、単に摘み４１を水平状態となるまで回転操作すればよい。すなわち、垂直状態から水平状態へと摘み４１が回転されれば、その回転力がサムターン筒４３、解除交差部材６７，６９、挟持板７３ａ，７３ｂ，７５ａ，７５ｂを介してコア軸３５へ伝達されるとともに、ストッパー４９，５１が係合溝５５に一致し、ボタン付勢バネ６６の付勢力により係合溝５５に係合し、再び図６に示した状態となり、ボタン６３，６５が突出して施錠が完了する。
【００３８】
また、図８に示した施錠状態において、屋外側からシリンダー錠が合鍵によって操作されると、錠箱の入出力軸が回転し、その回転に連動してコア軸３５が回転される。コア軸３５が回転されると、突起板３９が傾き、これにより図８（ｂ）に示すように、挟持板７３ａ，７３ｂ，７５ａ，７５ｂが開脚する。挟持板７３ａ，７３ｂ，７５ａ，７５ｂが開脚されると、解除交差部材６７，６９の離間片６７ｃ，６９ｃが開かれ、その結果、解除交差部材６７，６９のストッパー挟持片６７ｂ，６９ｂが一対のストッパー４９，５１を挟持する方向に挟み込み、係合溝５５から抜脱される方向へストッパー４９，５１を移動させる。
【００３９】
これにより、施錠状態においても、シリンダー錠の操作によって、ストッパー４９，５１の規制が解除され、摘み４１が回転されることになる。
【００４０】
なお、解錠状態において、屋外側からシリンダー錠を介して施錠状態とする場合は、ストッパー４９，５１が係合状態となっていないので、通常の施錠操作となる。また、挟持板７３ａ，７３ｂ，７５ａ，７５ｂは、傾斜した突起板３９によって開脚された後には、サムターン筒４３と共に回転されることになる。
【００４１】
この防犯サムターン装置１００によれば、ボタン６３，６５を押下しながらの回転力が摘み４１に加えられなければ、特に、一対の各ボタン６３，６５をそれぞれ押下した状態で摘み、回転を行わなければ、摘み４１による解錠操作が行えず、これにより、挿入した針金や棒等を摘みに引っ掛ける等して、摘み４１を回転することによる不正解錠が阻止される。また、一般的なサムターンと同様に、摘み４１を摘んで回動操作が行え、施錠時にはボタン操作に関わらず施錠が行えるとともに、屋外からのシリンダー錠による合鍵操作時にはストッパー４９，５１が自動解除されて摘み４１が回転されるので、良好な操作性が確保される。さらに、従来の防犯カバーが被せられる構成と異なり、摘み４１の垂直・水平姿勢が視認可能となるので、一般的なサムターンと同様に、室内側からの施解錠状態が容易に確認できるようになる。
【００４２】
また、この防犯サムターン装置１００では、二対の挟持板７３ａ，７３ｂ，７５ａ，７５ｂで、コア軸３５の突起板３９を軸線直交方向の両側から挟持するので、コア軸３５の右回転、左回転の何れの回転でも等しいモーメントで挟持板３９を開脚でき、シリンダー錠の左右勝手に関わらずスムースな合鍵操作を可能にすることができる。
【００４３】
なお、上述した実施の形態では、摘み４１の形状を略板状に形成した例について述べたが、これに限ることはなく、楕円状に中途部分が膨出形状とされている形状としてもよく、あるいは錐状や角柱状などの形状としてもよい。
【図面の簡単な説明】
【００４４】
【図１】本発明に係る防犯サムターン装置の解錠状態の正面視を（ａ）、縦断面視を（ｂ）で表した説明図である。
【図２】本発明に係る防犯サムターン装置の施錠状態の縦断面視を（ａ）、（ａ）のＡ−Ａ矢視を（ｂ）で表した説明図である。
【図３】図１に示した防犯サムターン装置の分解図である。
【図４】図２に示した防犯サムターン装置の分解図である。
【図５】図４の要部斜視図である。
【図６】図１に示した防犯サムターン装置の施錠状態の縦断面視を（ａ）、（ａ）のＢ−Ｂ矢視を（ｂ）で表した動作説明図である。
【図７】図１に示した防犯サムターン装置の施錠解除時の縦断面視を（ａ）、（ａ）のＣ−Ｃ矢視を（ｂ）で表した動作説明図である。
【図８】図１に示した防犯サムターン装置のシリンダー錠からの施錠解除時の縦断面視を（ａ）、（ａ）のＤ−Ｄ矢視を（ｂ）、（ａ）のＥ−Ｅ矢視を（ｃ）で表した動作説明図である。
【符号の説明】
【００４５】
２１…固定筒
３５…コア軸
３９…突起板
４０…摘み固定手段（固定ネジ）
４１…摘み
４２…カバー（ネジカバー）
４３…サムターン筒
４９，５１…ストッパー
６３，６５…ボタン
６３ａ，６５ａ…脚部
６６…ボタン付勢バネ
６７，６９…解除交差部材
６７ｂ，６９ｂ…一端部（ストッパー挟持片）
６７ｃ，６９ｃ…他端部（離間片）
７１…圧縮バネ
７３ａ，７３ｂ，７５ａ，７５ｂ…挟持板
１００…防犯サムターン装置
Ｄｓ…屋内面
【図１】
2005097923.tif 000003
【図２】
2005097923.tif 000004
【図３】
2005097923.tif 000005
【図４】
2005097923.tif 000006
【図５】
2005097923.tif 000007
【図６】
2005097923.tif 000008
【図７】
2005097923.tif 000009
【図８】
2005097923.tif 000010